(57)【要約】【課題】血液検査が終了してセンサの排出時において、センサに付着した血液でなどで筐体を汚す場合があった。【解決手段】筐体１２と、この筐体１２に設けられるとともにセンサ１３が挿入される装着部１２ａと、センサ１３に接続される測定回路部１５と、この測定回路部１５に接続された表示部１７と、センサ１３を排出する排出手段１８と、この排出手段１８に連結された排出ボタン１８ｂとを備え、筐体１２の姿勢を検知する姿勢検知部１９と、この姿勢検知部からの出力に基づいて排出手段１８の動作をロックするロック手段２０を設け、姿勢検知部１９においてセンサ１３の排出方向と重力方向との傾きが所定の角度内かどうかを検知し、その出力に基づいて、排出手段１８によるセンサ１３の排出を前記ロック手段で禁止または許可することを特徴とする血液検査装置を提供するものである。これにより、所期の目的を達成することができる。【選択図】図１
2010063577.tif 000002
【特許請求の範囲】
【請求項１】
筐体と、この筐体に設けられるとともに血液センサが装着される装着部と、前記血液センサに接続される測定回路部と、この測定回路部に接続された表示部と、前記血液センサを排出する排出手段と、この排出手段に連結された排出ボタンとを備え、前記筐体の姿勢を検知する姿勢検知部と、この姿勢検知部からの出力に基づいて前記排出手段の動作をロックするロック手段を設け、前記姿勢検知部において血液センサの排出方向と重力方向との傾きが所定の角度内かどうかを検知し、その出力に基づいて、前記排出手段による前記血液センサの排出を前記ロック手段で禁止または許可することを特徴とする血液検査装置。
【請求項２】
姿勢検知部は、筒状の筒体と、前記筒体内を摺動自在に設けられた錘で構成された請求項１に記載の血液検査装置。
【請求項３】
前記錘は、前記筒体内を重力により移動可能なように構成された請求項２に記載の血液検査装置。
【請求項４】
ロック手段は、錘が筒体内の一方に移動したときは排出手段に形成された凹部に、前記ロック手段に設けられた凸部を嵌入させて前記排出手段の動作を禁止するとともに、前記錘が前記筒体内の他方に移動したときは前記凹部から前記凸部を離脱させて前記排出手段の動作を許可する請求項２に記載の血液検査装置。
【請求項５】
前記姿勢検知部と前記ロック手段は一体化され、前記姿勢検知部に設けられた筒体内を錘が移動する構造になっており、前記ロック手段はロック用の前記凸部を有するロックレバーと、前記ロックレバーを付勢しているバネを有し、前記錘と前記ロックレバーが一部の範囲または全部の範囲で当接するように配置され、前記錘の移動に連動して前記ロックレバーが回動する請求項１から４のいずれかに記載の血液検査装置。
【請求項６】
前記所定の角度は、±９０度以内である請求項１に記載の血液検査装置。
【請求項７】
好ましくは、前記所定の角度は、±６０度以内である請求項１に記載の血液検査装置。
【請求項８】
さらに、好ましくは、前記所定の角度は、±４５度以内である請求項１に記載の血液検査装置。
【請求項９】
排出手段による血液センサの排出の禁止、或いは許可を表示部に表示する請求項１に記載の血液検査装置。
【発明の詳細な説明】
【技術分野】
【０００１】
本発明は、血液検査装置に関するものであり、更に詳しくは前記血液検査装置の姿勢に関するものである。
【背景技術】
【０００２】
以下、従来の血液検査装置について説明する。従来の血液検査装置１は、図８に示すように、筐体２と、この筐体２に設けられるとともに血液センサ（以下センサという）３が装着される装着部２ａと、センサ３に接続される測定回路部４（図示せず）と、この測定回路部４に接続された表示部５と、センサ３を排出する排出手段６（図示せず）と、この排出手段６に連結された排出ボタン７とで構成されていた。
【０００３】
以上のように構成された血液検査装置１の使用動作について以下説明する。先ず、図８（ａ）に示すように、センサ３を装着部２ａに装着する。そして、このセンサ３の血液導入部３ａに患者から採取した血液８を点着させる。この血液８は血液導入部３ａからセンサ３の内部に取り込まれて、センサ３内の試薬と反応して化学変化をする。この化学変化を測定回路部４で電気的に測定し、その結果を表示部５に表示する。測定が終了したら、図８（ｂ）に示すように、装着部２ａを下方に向けて排出ボタン７を押下する。そうすると、この排出ボタン７に連結された排出手段６によりセンサ３が装着部２ａから排出される。
【０００４】
なお、この出願の発明に関連する先行技術文献情報としては、例えば、特許文献１が知られている。
【特許文献１】特開２００４−４０４６号公報
【発明の開示】
【発明が解決しようとする課題】
【０００５】
しかしながらこのような従来の血液検査装置１では、図９に示すように装着部２ａを上方に向けた状態でも排出ボタン７が機能し、排出ボタン７を押下すると、センサ装着部から排出されたセンサ３は筐体２上に落下することになる。このときセンサ３の血液導入部３ａに点着された血液８が筐体２に付着して筐体２を汚すことになる。筐体２が血液８で汚されると美観を損なうばかりか不衛生になるという問題があった。また、筐体２に限らず、その他の箇所にセンサ３に付着した血液８が排出時に、飛散することは安全上も問題である。
【０００６】
そこで本発明は、このような問題を解決したもので、筐体などを血液で汚すことがないような血液検査装置を提供することを目的としたものである。
【課題を解決するための手段】
【０００７】
この目的を達成するために本発明の血液検査装置は、筐体の姿勢を検知する姿勢検知部と、この姿勢検知部からの出力に基づいて前記排出手段の動作をロックするロック手段を設け、前記姿勢検知部において血液センサの排出方向と重力方向との傾きが所定の角度内かどうかを検知し、その出力に基づいて、前記排出手段による前記血液センサの排出を前記ロック手段で禁止または許可することを特徴とする血液検査装置を提供するものである。これにより、初期の目的を達成することができる。
【発明の効果】
【０００８】
以上のように本発明によれば、筐体の姿勢を検知する姿勢検知部と、この姿勢検知部からの出力に基づいて前記排出手段の動作をロックするロック手段を設け、前記姿勢検知部において血液センサの排出方向と重力方向との傾きが所定の角度内かどうかを検知し、その出力に基づいて、前記排出手段による前記血液センサの排出を前記ロック手段で禁止または許可することを特徴とする血液検査装置を提供するものである。即ち、血液センサが筐体に触れることなく自然落下する姿勢のときには排出が可能となり、血液センサより筐体が下方にあるときには血液センサの排出が禁止されるので、血液センサが筐体から排出されることはない。従って、血液センサの排出時において血液で筐体を汚すことはない。
【発明を実施するための最良の形態】
【０００９】
（実施の形態１）
図１は、本実施の形態における血液検査装置の概略断面図である。図１において、１２は樹脂で成形されるとともに直方体形状をした筐体である。この筐体１２の下辺（図１において）には血液センサ（以下センサという）１３が装着される装着部１２ａが設けられている。この装着部１２ａの奥には、センサ１３に形成された端子（図７参照）と接続されるコネクタ１４が設けられており、このコネクタ１４は電気回路部１５に接続されている。電気回路部１５は、電池１６に接続されるとともに、この電池１６から電力が供給される。電気回路部１５の出力は表示部１７に接続されている。
【００１０】
筐体１２の上辺と装着部１２ａとの間には、排出手段１８が摺動自在に設けられており、この摺動手段１８の下方には、センサ１３を排出する（押し出す）押出し部１８ａが形成されている。また、排出手段１８の上方には排出ボタン１８ｂが排出手段１８と一体的に形成されている。
【００１１】
排出手段１８には凹部１８ｃが形成されており、この凹部１８ｃはロック手段２０に形成された凸部２０ａと係合して排出手段１８の摺動を禁止する。１８ｄはバネであり、このバネ１８ｄで排出手段１８を上方へ付勢している。
【００１２】
１９は、筐体１２内に設けられた姿勢検知部であり、この姿勢検知部１９は水平面に対しての筐体１２の姿勢を検知するものである。この姿勢検知部１９の出力はロック手段２０に連結されている。ロック手段２０は、姿勢検知部１９からの出力に基づいて、凸部２０ａを凹部１８ｃに挿入したり、この凹部１８ｃに挿入された凸部２０ａを凹部１８ｃから離脱させたりする。凸部２０ａを凹部１８ｃに挿入すると、排出手段１８の摺動は禁止される。また、凸部２０ａを凹部１８ｃから離脱させると、排出手段１８の摺動は許可される。
【００１３】
図２は、血液検査装置１１の外観斜視図であり、図２（ａ）は第１の状態を示している。図２（ａ）において、筐体１２の表面には液晶で形成された表示部１７が装着されており、この表示部１７には、血糖値の表示や姿勢検知部１９から出力される筐体１２の姿勢の状態及び排出可否の内容などが表示される。筐体１２の上方には排出ボタン１８ｂが設けられており、下方にはセンサ１３を挿入する装着部１２ａが設けられている。
【００１４】
図２（ｂ）は、第２の状態を示す斜視図であり、装着部１２ａにセンサ１３を挿入状態を示したものである。この状態において、センサ１３の血液導入部１３ａに血液８を点着する。血液導入部１３ａに点着された血液８は、血液検査装置１１内部の測定回路部１５で測定され、その測定結果は表示部１７に表示される。
【００１５】
図２（ｃ）は、第３の状態を示す斜視図であり、図２（ｃ）においては血液８の測定が完了し、排出ボタン１８ｂを押下することにより、センサ１３が装着部１２ａから排出される状態を示している。
【００１６】
図３は、姿勢検出部１９とロック手段２０の断面図である。姿勢検出部１９は、筒体１９ｂと、この筒体１９ｂ内に重力方向に自在に摺動する錘１９ａとで構成されている。ロック手段２０は、支点２０ｂで回動自在に設けられたロックレバー２０ｃで形成されており、このロックレバー２０ｃの一端には凸部２０ａが形成されている。この凸部２０ａは、排出手段１８に設けられた凹部１８ｃへ嵌入可能に設けられている。また、凸部２０ａ側は、バネ２０ｅで凹部１８ｃ側に付勢されている。ロックレバー２０ｃの他端２０ｄ側は錘１９ａに当接し、錘１９ａとは摺動自在に設けられている。
【００１７】
血液検査装置１１を水平面から垂直方向に起こすにつれて、錘１９ａは重力で下方に摺動し、錘１９ａの移動方向の力２１ａが大きくなる。この力２１ａがバネ力２１ｂより大きくなると、錘１９ａは筒体１９ｂの他端１９ｄへ移動し、排出手段１８のロックは解除される。
【００１８】
図４（ａ）は、血液検査装置１１のロック解除時における部分断面図であり、血液検査装置１１の装着部１２ａ側を下方に向けた場合である。この場合、錘１９ａは重力により、筒体１９ｂ内の他方１９ｄ側へ移動する。この錘１９ａの移動により、ロックレバー２０ｃはバネ２０ｅの力に抗して回動し、凸部２０ａは凹部１８ｃから離脱する。
【００１９】
このことにより、排出手段１８のロックは解除され、排出手段１８の移動は自由となる。即ち、この状態において排出ボタン１８ｂを押下すと、図４（ｂ）に示すように、排出手段１８は下方に移動する。そして、この排出手段１８に連結された押出し部１８ａでセンサ１３を装着部１２ａから外す（排出する）ことができる。この場合、センサ１３は筐体１２の下方に位置することになるので、センサ１３は排出時に筐体１２に触れることなく自然落下する。即ち、センサ１３に付着された血液８で筐体１２を汚すことはない。
【００２０】
図５（ａ）は、血液検査装置１１の排出禁止時における部分断面図である。即ち、血液検査装置１１の装着部１２ａを上方に向けた場合を示している。この場合、錘１９ａは重力により、筒体１９ｂａ内の一方１９ｃ側へ移動する。そうすると、ロックレバー２０ｃはバネ２０ｅの押圧力により排出手段１８方向に付勢されているので、この押圧力により、凸部２０ａは凹部１８ｃへ嵌入する。
【００２１】
このようにして、排出手段１８はロックされてセンサ１３の排出は禁止される。即ち、排出ボタン１８ｂを押下しても排出手段１８は移動しないので、図５（ｂ）に示すようにセンサ１３は装着部１２ａから外れることはない。従って、センサ１３に付着した血液８で筐体１２などを汚すことはない。
【００２２】
ここで、排出手段１８によるセンサ１３の排出禁止（ロック）と、排出許可（ロック解除）の表示について説明する。
【００２３】
凹部１８ｃと凸部２０ａとを導電性部材で形成し、凹部１８ｃと凸部２０ａが接触したか否かでセンサ１３の排出許可、或いは排出禁止を表示部１７に表示することが可能である。即ち、凹部１８ｃと凸部２０ａが接触して電気的導通があれば、センサ１３の排出が禁止されている旨を表示部１７に表示する。凹部１８ｃと凸部２０ａ間の電気的導通がない場合には、センサ１３の排出が許可されている旨を表示部１７に表示する。
【００２４】
また、凹部１８ｃと凸部２０ａ間の電気的導通に替えて、筒体１９ｂの例えば一方１９ｃに光センサを装着し、この光センサが錘１９ａを検知するが否かで、センサ１３の排出許可か禁止かを表示しても良い。即ち、筒体１９ｂの一方１９ｃ側に錘１９ａを検知すれば、センサ１３の排出は禁止であり、筒体１９ｂの一方１９ｂに錘１９ａが検知できなければ、センサ１３の排出は許可されている旨を表示する。
【００２５】
この他に、例えば、凹部１８ｃと凸部２０ａに対応する筐体１２の部分を、少なくとも透明にして外部から識別できるようにしても良い。
【００２６】
図６は、血液８を点着し血液検査をするためのセンサ１３の分解斜視図である。１３ｂは釣鐘型をした板状の絶縁基板であり、この絶縁基板１３ｂの上面には導電体１３ｃが印刷されている。この導電体１３ｃをレーザ光線でスリット１３ｄを形成することにより、絶縁基板１３ｂの円形の頂点から順番に対電極１３ｅ、測定電極１３ｆ、検知電極１３ｇを形成している。そして、これらの電極１３ｅ，１３ｆ，１３ｇは、その反対側にある端子１３ｈ，１３ｊ、１３ｋへ夫々導出されている。
【００２７】
１３ｎは、対電極１３ｅ、測定電極１３ｆ上に載置される試薬であり、グルコースオキシターゼ（ＧＯＤ）、親水性を得るためのカルボキシメチルセルロース（ＣＭＣ）、フェリシアン化カリウム等が混合されたものである。
【００２８】
１３ｐは、絶縁基板１３ｂ及び試薬１３ｎの上に載置される絶縁性のスペーサである。このスペーサ１３ｐの円形頂点から切欠部１３ｑが形成されている。１３ａは血液導入部であり、切欠部１３ｑの頂部に形成されている。
【００２９】
１３ｔは、スペーサ１３ｐの上に載置されるカバーであり、１３ｕは空気孔である。この空気孔１３ｕは、切欠部１３ｑの奥部に設けられている。
以上のように構成されているので、血液８を血液導入部１３ａに点着すると、この血液８は切欠け部１３ｑの空間による毛細管現象で、対電極１３ｅ、測定電極１３ｆを通過して検知電極１３ｇ上へ導かれる。血液８が検知電極１３ｇへ導かれることにより、対電極１３ｅ、測定電極１３ｆへ血液８が充分到達したことを検知することができる。対電極１３ｅ、測定電極１３ｆに到達した血液８は、試薬１３ｎと反応する。その反応結果（電気的な信号）は対電極１３ｅと接続された端子１３ｈ、測定電極１３ｆと接続された端子１３ｊに導かれる。
【００３０】
図７は、センサ１３と、このセンサ１３の端子にコンタクトするコネクタ１４と、コネクタ１４に接続された測定回路部１５のブロック図である。コネクタは複数の接続部を有し、図７において、１４ａは端子１３ｊが接続されるコネクタであり、１４ｂと１４ｃは共に端子１３ｋに接続されるコネクタである。また、１４ｄは端子１３ｈが接続されるコネクタである。
【００３１】
コネクタ１４ｃは直接グランドに接続されており、コネクタ１４ｄは電子回路で形成された電子スイッチ１５ｆを介してグランドに接続されている。コネクタ１４ａは電流／電圧変換器１５ｇの入力に接続されており、その出力はアナログ／デジタル変換器（以下、Ａ／Ｄ変換器と記す）１５ｈを介して演算部１５ｊに接続されている。この演算部１５ｊの出力は、液晶で形成された表示部１７に接続されている。
【００３２】
１５ｋは制御部であり、この制御部１５ｋの出力は、電子スイッチ１５ｆの制御端子と演算部１５ｊとコネクタ１４ｂと通信部１５ｍの制御端子とに接続されている。また、演算部１５ｊの出力は通信部１５ｍの入力にも接続されている。
【００３３】
以上のように構成されたセンサ１３と測定回路部１５について、以下にその動作を説明する。先ず、初期状態として、制御部１５ｋから出力される信号で電子スイッチ１５ｆをオフにしておく。次に、センサ１３を装着部１２ａに挿入し、コネクタ１４とコンタクトさせる。このセンサ１３の挿入は、コネクタ１４ｂとコネクタ１４ｃの間に導通があるか否かで検知する。即ち、導通があればセンサ１３が装着部１２ａに挿入されたわけである。センサ１３が挿入されると、センサ１３の端子１３ｊ、１３ｋ，１３ｈが測定回路部１５のコネクタ１４ａ，１４ｂ、１４ｃ、１４ｄに接続される。端子１３ｋには、コネクタ１４ｂ、１４ｃが共に接続される。
【００３４】
この状態において、電子スイッチ１５ｆがオフとなっているので、対電極１３ｅ（端子１３ｈ）とグランドとの間は非接触状態である。測定電極１３ｆ（端子１３ｊ）と検知電極１３ｇ（端子１３ｋ）との間には一定の電圧が電流／電圧変換器１５ｇから印加される。
【００３５】
次に、センサ１３の血液導入部１３ａに血液８を点着する。そうするとこの血液８は血液導入部１３ａから毛細管現象によって吸引され、対電極１３ｅ、測定電極１３ｆ上を流れ検知電極１３ｇに達する。血液８が検知電極１３ｇに達したことにより、測定電極１３ｆと検知電極１３ｇとの間にも測定可能の血液８が充分供給されたことを認識する。即ち、センサ１３に測定可能量の血液８が供給されたこととなり、血糖値の測定を開始することができる。
【００３６】
そこで、制御部１５ｋは、電子スイッチ１５ｆをオンにして、対電極１３ｅをグランドに接続する。その後一定時間、電流／電圧変換器１５ｇから測定電極１３ｆへ電圧を供給しないように制御する。この間、対電極１３ｅ、測定電極１３ｆ上に載置された試薬１３ｎと血液８との反応が進行する。約５秒間の一定時間経過後、電流／電圧変換器１５ｇから測定電極１３ｆと対電極１３ｅとの間に一定の電圧を印加する。このとき、測定電極１３ｆと対電極１３ｅとの間に血液８内のグルコース濃度に比例した電流が生ずる。
【００３７】
この電流は、電流／電圧変換器１５ｇによって電圧に変換され、その電圧はＡ／Ｄ変換器１５ｈによってデジタル値に変換される。そしてこの変換されたデジタルデータは、演算部１５ｊに取り込まれる。演算部１５ｊではそのデジタル値から血糖値を算出し、表示部１７に表示するとともに、通信部１５ｍに伝達する。通信部１５ｍでは、伝達された血糖値を注射装置に向けて送信する。
【産業上の利用可能性】
【００３８】
本発明にかかる血液検査装置は、血液センサの排出時において血液で筐体を汚すことはないので、安全な血液検査装置として有用である。
【図面の簡単な説明】
【００３９】
【図１】本発明の実施の形態における血液検査装置の概略断面図
【図２】（ａ）は同、第１の状態における斜視図、（ｂ）は同第２の状態における斜視図、（ｃ）は同第３の状態における斜視図
【図３】同血液検査装置を構成する姿勢検知部と排出ロック手段の断面図
【図４】（ａ）は同血液検査装置の排出ロック解除時における部分断面図、（ｂ）は同要部断面図
【図５】（ａ）は同血液検査装置の排出ロック時における部分断面図、（ｂ）は同要部断面図
【図６】同血液検査装置に挿入するセンサの分解斜視図
【図７】同血液検査装置を構成する測定回路部とその周辺のブロック図
【図８】（ａ）は従来の血液検査装置の第１の状態における正面図、（ｂ）は同第２の状態における正面図
【図９】同排出操作時の第３の状態における正面図
【符号の説明】
【００４０】
１１    血液検査装置
１２    筐体
１２ａ    装着部
１３    センサ
１５    測定回路部
１７    表示部
１８    排出手段
１８ｂ    排出ボタン
１９    姿勢検知部
２０    ロック手段
【図１】
2010063577.tif 000003
【図２】
2010063577.tif 000004
【図３】
2010063577.tif 000005
【図４】
2010063577.tif 000006
【図５】
2010063577.tif 000007
【図６】
2010063577.tif 000008
【図７】
2010063577.tif 000009
【図８】
2010063577.tif 000010
【図９】
2010063577.tif 000011